(57)【特許請求の範囲】
【請求項１】
レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突部を、また、タンブラーＢの内側縁部には支軸を中心とする円弧上にタンブラーＡの係合突部と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突部と整合するように設定し、他方、支軸を外方に付勢する一方、内筒の内端部に、内筒の半径方向に移動可能で、外部から操作可能なスイッチ部材を支軸の外側からこれに当接可能に設けたものにおいて、偏芯軸を支軸の外周面の延長と干渉するように設けたことを特徴とする可変レバータンブラー錠。
【請求項２】
上記偏芯軸の中心軸が偏芯軸の外周面を見込む角度が１８０度以上になるように設定した請求項１記載の可変レバータンブラー錠。
【発明の詳細な説明】
【０００１】
【発明の属する技術分野】
この発明は、可変レバータンブラー錠に係り、特に、簡単な操作で容易かつ確実に鍵違いを変更できる新規な可変レバータンブラー錠に関する。
【０００２】
【従来の技術】
本出願人は、先に、特願２００１−３７９２６８を以て、従来のレバータンブラー錠を改良して、簡単な操作で鍵違いを変更できる新規な可変レバータンブラー錠を提案した。
【０００３】
この可変レバータンブラーの構造及び作用は上記先の出願の明細書に詳細に記載されているのでここでは簡単に説明すると、図１に示すように、レバータンブラー１１を、略Ｃ字形で相互に重合するタンブラーＡ１１ＡとタンブラーＢ１１Ｂとを組合わせたものとする一方、図で上方に付勢された支軸１２をその両端に突設した偏芯軸１３の軸線回りを回動できるように支承する。
【０００４】
一方、一端を支軸１２に遊嵌させたタンブラーＡ１１Ａには合鍵の鍵溝との係合部１６を形成すると共に、これを合鍵と干渉する方向、図１では反時計方向に付勢し、また、一端を支軸に回動自在に嵌合させたタンブラーＢ１１Ｂの自由端部外側端縁に解錠切欠９を形成すると共に、タンブラーＡ１１Ａの合鍵側端縁との係合部と重合する部分を合鍵と干渉しないように成形する。
【０００５】
他方、タンブラーＡ１１Ａの自由端部内側縁部のタンブラーＢ１１Ｂと対向する側に係合突部１８を、また、タンブラーＢ１１Ｂの内側縁部には支軸１２を中心とする円弧上にタンブラーＡの係合突部１８と係合可能な係合凹部１９の複数を夫々形成すると共に、係合凹部の形成角度位置を、合鍵の側端縁に形成された複数種類の深さの鍵溝にタンブラーＡの係合部が夫々係合したとき、その係合突部と整合するように設定する。
【０００６】
図１は一の合鍵を鍵孔に差込んだ状態を示し、したがって解錠切欠９がロッキングバー６と角度的に整合している。
【０００７】
この状態で後に述べるスイッチ部材を用いて支軸１２に矢印方向、すなわち下向きの力を印加すると、支軸１２は偏芯軸１３の中心軸ｃの回りを時計方向に回動する。
【０００８】
その結果、支軸１２はタンブラーＡ１１Ａの一端に形成された勾玉（まがたま）形の支軸孔２８を遊嵌するので、タンブラーＡを図１の位置に残した状態で、図２に示すように、タンブラーＢ１１Ｂのみを下降させる。
【０００９】
図２から明らかなように、解錠切欠９とロッキングバー６とは整合しているから、上記タンブラーＢ１１Ｂの下降は可能である。
【００１０】
すると、図２に示すように、タンブラーＡ１１Ａの係合特記１８は係合凹部１９から抜き外される。
【００１１】
この状態では一の合鍵を抜くことができるので、一の合鍵を鍵孔から抜くと、タンブラーＡ１１Ａはその付勢力により反時計方向に回動するが（図示せず）、他の新たな合鍵を挿入することにより、タンブラーＡ１１Ａは図２とは異なる新たな角度位置に迄回動する。
【００１２】
この状態で支軸１２を元の位置に戻すと、タンブラーＢ１１Ｂも連れ動いて図１に示す位置に戻るので、タンブラーＡ１１ＡとタンブラーＢ１１Ｂとの係合の態様が前とは異なり、したがって鍵違いを変更することができるのである。
【００１３】
【発明が解決しようとする課題】
ところで、前記したように支軸をその両端に突設した偏芯軸１３の軸線回りを回動できるように支承する、という理由は、後に明らかになるように、支軸の断面を偏芯軸の回りを回動できるレバーのようにし、このレバーの動きを利用してタンブラーＡ、Ｂを分離させるにある。
【００１４】
したがって、偏芯軸の中心軸と支軸との距離が大きくなればタンブラーＡ、Ｂのずれ量が大きくなり、鍵違いの変換操作が確実になるので好ましい。
【００１５】
しかしながら、支軸の径を大きくするとタンブラーの一端も大きくしなければならないので、支軸の径を過大にすることはできず、偏芯軸の径を小さくすると、今度は強度に問題が生じる。
【００１６】
そこで、この発明は、上記した不都合を解消し、偏芯軸の径を必要にして充分確保すると共に、支軸の偏芯量も大きくできる可変レバータンブラー錠を提供することを目的としている。
【００１７】
【課題を解決するための手段】
上記の目的を達成するため、請求項１に記載の発明は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突部を、また、タンブラーＢの内側縁部には支軸を中心とする円弧上にタンブラーＡの係合突部と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突部と整合するように設定し、他方、支軸を外方に付勢する一方、内筒の内端部に、内筒の半径方向に移動可能で、外部から操作可能なスイッチ部材を支軸の外側からこれに当接可能に設けたものにおいて、偏芯軸を支軸の外周面の延長と干渉するように設けたことを特徴とする。
【００１８】
また、請求項２に記載の発明は、上記偏芯軸の中心軸が偏芯軸の外周面を見込む角度が１８０度以上になるように設定したことを特徴とする。
【００１９】
【実施例】
以下、この発明の実施例を図面を参照して説明する。なお、説明の都合上、従来のレバータンブラー錠及び前記本出願の先の出願に係る可変レバータンブラー錠の構造についても説明をする。
【００２０】
レバータンブラー錠は、図３及び図４に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【００２１】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【００２２】
そして、これらのタンブラー群の夫々が鍵孔に挿通された合鍵の対応する鍵溝と係合したとき、各レバータンブラー１１の解錠切欠９がロッキングバー６の内側縁と整合する（図示せず）ように構成されている。
【００２３】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【００２４】
なお、図３及び図４において、符号１２はレバータンブラー１１、１１の一端を共通に貫通してこれらを回動自在に支承する支軸を示す。
【００２５】
上記した構成の従来のレバータンブラー錠に対して、前記本出願人による特願２００１−３７９２６８による可変レバータンブラー錠は、その構成上の特徴として、レバータンブラー１１の夫々が単一の部材ではなく、図１に示すように、タンブラーＡ１１Ａと、タンブラーＢ１１Ｂの２部材に分割されている
【００２６】
これらタンブラーＡ１１ＡとタンブラーＢ１１Ｂとは、夫々全体の形状が略Ｃ字形の板状体で、相互に重合した状態で、一端（図１で上端）を支軸１２により回動自在に軸支されていることは前記した通りである。
【００２７】
一方、図５に示すように、支軸１２の両端には偏芯軸１３、１３（図５では内端の偏芯軸の図示を省略する）が夫々突設されており、支軸１２は、図６に示すように、これらの偏芯軸１３、１３をキーガイド１４及びテールガイド１５に夫々回動可能に支承させている。
【００２８】
上記偏芯軸１３及び支軸１２は偏芯しているから、換言すれば支軸１２と図１に示す偏芯軸１３の中心軸ｃとは同軸ではないから、図１で支軸１２の断面の上端を矢印方向に押動すると、支軸１２は偏芯軸の中心軸ｃの回りを回動することになる。
【００２９】
すなわち、図１に示す支軸１２の断面は、偏芯軸の中心軸ｃを回動軸線とするごく短いレバーとなる。
【００３０】
しかして、本発明においては、偏芯軸１３の径（外径）をある程度大きくして強度を保つためと、支軸１２の偏芯量を確保するため、偏芯軸１３が支軸の外周面の延長と干渉するように、偏芯軸１３の支軸端面における突設位置が設定されている。
【００３１】
また、偏芯軸の中心軸ｃが偏芯軸１３の外周面を見込む角度が１８０度以上であれば、偏芯軸１３が一部削られた形状でも、その支承孔内で偏芯軸が遊動する事なく、円滑に支軸を支承することができる。
【００３２】
一方、タンブラーＡの鍵孔４に対向する側端縁の中央部には、図１に示すように、図示しない合鍵の鍵溝と係合する係合部１６を形成すると共に、タンブラーばね１７（図７参照）の弾力により、合鍵と干渉する方向に付勢されている。
【００３３】
なお、上記タンブラーばね１７のタンブラーＡに対する装着の態様等は、従来のレバータンブラー錠と同様であるから、更に詳細な説明は省略する。
【００３４】
他方、タンブラーＢ１１Ｂの自由端部外側端縁には、前記解錠切欠９を形成すると共に、タンブラーＡの係合部１６と重合する部分は合鍵と干渉しないように成形されている。要するに、切り欠かれている。
【００３５】
タンブラーＡ１１Ａの説明に戻って、その自由端の内側縁部のタンブラーＢ１１Ｂに対向する面に細いピン状の係合突部１８（図１参照）が一体に形成されている。
【００３６】
これに対応して、タンブラーＢ１１Ｂの自由端の内側縁部には、図１に示すように、合鍵の鍵溝の深さの種類に対応して、支軸１２を中心とする円弧上に例えば３個の係合凹部１９、１９が形成されている。
【００３７】
図示の実施例では、この係合凹部１９は上記係合突部１８と係合するＵ字形の切欠として形成されている。
【００３８】
各係合凹部１９の支軸１２に対する角度位置は、合鍵の側端縁に形成された複数種類（図示の実施例では３種類）の深さの鍵溝に、タンブラーＡ１１Ａの係合部１６が夫々係合したときの係合突部１９と整合するように設定されている。
【００３９】
例えば、図１で一番左の係合凹部１９、すなわちタンブラーＡ１１Ａの係合突部１８と嵌合している係合凹部は、解錠切欠９の形成角度位置との関連で、合鍵の鍵溝の一の深さに対応しており、その一の深さの鍵溝とタンブラーＡ１１Ａの係合部１６が係合したとき、解錠切欠９とロッキングバー６の内側縁と整合するようにその角度位置が定められている。
【００４０】
同様にして、タンブラーＢ１１Ｂの他の係合凹部１９の角度位置は、合鍵の鍵溝の他の深さに対応している。
【００４１】
したがって、タンブラーＡ及びＢ１１Ａ、１１Ｂが図１に示すような位置関係にあり、係合突部１８が係合凹部１９、１９の一つと係合したとき、両者は一体的に連結して、合鍵の鍵溝の一の深さに対応したレバータンブラーとして機能する。
【００４２】
支軸１２の説明に戻って、支軸１２は、図６及び図８に示すように、例えば捩りコイルばねとしての支軸ばね２１の弾力により、外方（図８で上方）に付勢されており、その結果、偏芯軸１３回りの回転モーメントを与えられている。
【００４３】
また、支軸１２に支軸ばね２１以外の外力が作用しない常態角度位置を規定するため、図８に示すように、テールプラグ１５の外面側に傾斜衝止面２２が形成されていて、常態では支軸１２がこの傾斜衝止面２２に弾接して、支軸１２の偏芯軸１３に対する角度位置を規定している。
【００４４】
なお、図示の実施例におけるこの角度位置は、偏芯軸１３に対して、時計盤面に換算して１０時半の角度位置となっている。
【００４５】
一方、図５及び図６に示すように、外筒２の内端面に形成された矩形の凹陥部２３と裏板２４とによって画成された空間内には、背面側に傾斜面２５を形成したブロック状のスイッチ部材２６が、外筒の半径方向に移動可能に案内されて収納されている。
このスイッチ部材２６の内端（図５及び図６における下端）は、支軸１２の内端部に嵌着されたスペーサーリング２７の外周面に当接している。
【００４６】
なお、図１において、符号２８はタンブラーＡ１１Ａの一端に開口した例えば勾玉（まがたま）形の支軸孔を、符号２９はタンブラーＡ１１Ａの自由端部外側縁に形成された逃げ切欠を示す。
【００４７】
上記逃げ切欠は、図１から明らかなように、レバータンブラー錠の作動原理上、ロッキングバー６と干渉しないようにタンブラーＡ１１Ａに形成された切欠であるが、タンブラーＡ１１Ａの自由端部の幅を狭めても強度を確保できるようにその材質を適切に設定すれば必要の無い構成である。
【００４８】
上記のように構成されたこの発明の一実施例による可変タンブラー錠は、図７に示す施錠状態、或いは異鍵が挿入された状態では、ロッキングバー６と解錠切欠９とは角度的に整合していない。
【００４９】
このときに例えば異鍵を回して内筒を回動させようとすると、その内筒の外筒２に対する相対回動に起因する楔作用により、ロッキングバー６はカム溝１から脱出する方向、すなわち内筒中心軸方向に移動しようとするが、このロッキングバー６の動きはタンブラーＢ１１Ｂ、支軸１２を介して、テールプラグ１５（通常はキーガイド１４にも形成されている）の傾斜衝止面２２（図８参照）に衝止され、そのため内筒を回動させることはできない。
【００５０】
一方、鍵孔に合鍵３０が挿入された場合には、例えば図９に示すように、タンブラーＢ１１Ｂの解錠切欠９とロッキングバー６の内側縁が角度的に整合するので、通常のレバータンブラー錠と同様にして内筒が回動可能になる。すなわち、この可変タンブラー錠は解錠される。
【００５１】
この発明による可変タンブラー錠の鍵違いを変更するには、図９に示すように、先ず鍵孔内にそれ迄の合鍵を挿入する。
【００５２】
すると、各タンブラー１１の係合部１６に合鍵の鍵溝が係合し、その結果全タンブラー１１、１１の解錠切欠９、９がロッキングバー６の内側縁と整合する。
【００５３】
このとき、それ迄の合鍵３０を引抜かず、図１０及び図１１に示すように、例えば先端を円錐形に成形した変換ピン３１を裏板２４のピン穴３２（図６参照）から内部に挿入する。
【００５４】
すると、スイッチ部材２６の傾斜面２５と変換ピン３１の先端との間に生じる楔作用により、スイッチ部材２６は内筒中心軸線方向に移動する。
【００５５】
このスイッチ部材２６の移動は、スペーサーリング２７を介して支軸１２に伝達され、その結果、図１０及び図１１に示すように、支軸１２は偏芯軸１３の中心軸の回りを例えば時計方向に回動し、この支軸１２に従動してタンブラーＢ１１Ｂが図１及び図２で下方に移動する。
【００５６】
このとき、図２に示すように、タンブラーＡ１１Ａはタンブラーばね１７（図７参照）の弾力により原位置を保ち、支軸１２はタンブラーＡ１１Ａの一端に開口した支軸孔２８中を遊動する。
【００５７】
すなわち、タンブラーＢ１１ＢはタンブラーＡ１１Ａとは独立して図１０で相対的に下方に移動し、この移動に伴ってタンブラーＡ１１Ａの係合突部１８がそれ迄係合していた係合凹部１９から離脱する。
【００５８】
また、前記したようにタンブラーＢ１１Ｂの解錠切欠９はロッキングバー６の内側縁と角度的に整合しているから、各タンブラーＢ１１Ｂはその解錠切欠９とロッキングバー６の内側縁との係合の度合いを増大させつつ、ロッキングバー６と干渉することなく移動できる。
【００５９】
次いで、図１２に示すように、変換ピン３１を外筒に挿入した侭の状態で合鍵３０を抜くと、タンブラーＢ１１Ｂはロッキングバー６に係止された状態で、タンブラーＡ１１Ａのみがタンブラーばねの弾力によって反時計方向に回動し、やがてバックアップピン８に係止される。
【００６０】
このとき、タンブラーＡ１１Ａの一端は支軸の中心軸を中心とする円弧状に成形されているから、その回動時係止ピン３３と干渉することはない。
【００６１】
次に、図１３に示すように、変換ピン３１を外筒に挿入した侭の状態で、先程抜いた合鍵３０とは異なる新たな合鍵３００を鍵孔に挿入する。
【００６２】
すると、各タンブラーＢ１１Ｂの係合部１６（図１参照）は、新しい合鍵３００の対応する鍵溝と係合して、その係合突部１８は新たな係合凹部１９に係合可能に臨むことになる。
【００６３】
図示の実施例では、それ迄一番左の係合凹部１９と係合していた（図９参照）係合突部１８は、図１３に示すように左から二番めの係合凹部１９に係合可能に臨むことになる。
【００６４】
この状態で変換ピン３１を外筒のピン穴から抜くと、図１４に示すように、前記支軸ばね２１（図８参照）の弾力により支軸１２は上方に移動し、これに従動して、全タンブラーＢ１１Ｂが上方に移動して、全係合突部１８が新しい合鍵３００に対応する新しい係合凹部１９と係合する。
【００６５】
以後、今までの合鍵３０は使用不可能になり、このレバータンブラー錠は新しい合鍵３００によってのみ施解錠操作が可能となる。すなわち、鍵違いが変更されたことになる。
【００６６】
上記の操作を繰り返せば、新しい合鍵を用意できる限り、何回でも鍵違いを変更できることになる。
【００６７】
なお、図示の実施例では、スイッチ部材２６を変換ピンで上下に移動させるようにしたが、これは、例えば直接スイッチ部材を手指で駆動するように構成することができ、また、他の駆動部材の構成も複数種類考えることができる。
【００６８】
【発明の効果】
以上の説明から明らかなように、この発明は、レバータンブラーをタンブラーＡとタンブラーＢとに分割し、タンブラーＡには係合突部を、タンブラーＢには鍵溝の深さに対応する複数の係合凹部を夫々形成し、タンブラーＢを偏芯した支軸の回動を利用して半径方向に動かし、鍵孔に挿入された新しい合鍵の鍵溝の深さに対応して係合凹部と係合突部との係合の態様を変化させ、もって支軸に対する解錠切欠の角度位置を変化させるようにしたので、簡単な操作で鍵違いを何回でも変更できる、という所期の効果を奏する。
【００６９】
また、偏芯軸を支軸の外周面の延長と干渉するように設けたので、偏芯軸の径を必要にして充分確保すると共に、支軸の偏芯量も大きくすることができる、等種々の効果を奏する。
【図面の簡単な説明】
【図１】可変レバータンブラー錠のタンブラーの構成を説明するための拡大正面図で、タンブラーＡ、Ｂが相互に連結された状態を示す。
【図２】図１と同様のタンブラーの構成を説明するための拡大正面図で、タンブラーＡ、Ｂが鍵違い変換のため分離された状態を示す。
【図３】従来のレバータンブラー錠の一例を示す縦断面図。
【図４】その横断面図。
【図５】スイッチ部材による支軸の駆動機構を示す拡大外観斜視図で、常態を示す。
【図６】この発明の一実施例によるレバータンブラー錠の拡大縦断面図。
【図７】外側から見たその拡大横断面図。
【図８】外側から見たテールプラグの拡大正面図。
【図９】この発明によるレバータンブラー錠の鍵違いの変換を説明するための横断面図で、一の合鍵に対応する一の鍵違いを示す。
【図１０】この発明によるレバータンブラー錠の鍵違いの変換を説明するための横断面図で、一の合鍵を鍵孔に挿入した侭スイッチ部材を駆動してタンブラーＡ、Ｂを分離した状態を示す。
【図１１】図５と同様のスイッチ部材による支軸の駆動機構を示す拡大外観斜視図で、変換ピンによりスイッチ部材を駆動した状態を示す。
【図１２】この発明によるレバータンブラー錠の鍵違いの変換を説明するための横断面図で、スイッチ部材を駆動してタンブラーＡ、Ｂを分離した後一の合鍵を鍵孔から抜いた状態を示す。
【図１３】この発明によるレバータンブラー錠の鍵違いの変換を説明するための横断面図で、スイッチ部材を駆動してタンブラーＡ、Ｂを分離した後一の合鍵を鍵孔から抜き、他の合鍵を鍵孔に挿入した状態を示す。
【図１４】この発明によるレバータンブラー錠の鍵違いの変換を説明するための横断面図で、他の合鍵を鍵孔に挿入した後スイッチ部材を元に戻して新しい鍵違いを固定した状態を示す。
【符号の説明】
１  カム溝
２  外筒
４  鍵孔
５  内筒
６  ロッキングバー
８  バックアップピン
９  解錠切欠
１１  レバータンブラー
１１Ａ  タンブラーＡ
１１Ｂ  タンブラーＢ
１２  支軸
１３  偏芯軸
１４  キーガイド
１５  テールプラグ
１６  係合部
１７  タンブラーばね
１８  係合突部
１９  係合凹部
２１  支軸ばね
２２  傾斜衝止面
２５  傾斜面
２６  スイッチ部材
３０  合鍵
３１  変換ピン
【図１】
0004127622.tif 000002
【図２】
0004127622.tif 000003
【図３】
0004127622.tif 000004
【図４】
0004127622.tif 000005
【図５】
0004127622.tif 000006
【図６】
0004127622.tif 000007
【図７】
0004127622.tif 000008
【図８】
0004127622.tif 000009
【図９】
0004127622.tif 000010
【図１０】
0004127622.tif 000011
【図１１】
0004127622.tif 000012
【図１２】
0004127622.tif 000013
【図１３】
0004127622.tif 000014
【図１４】
0004127622.tif 000015